(57)【要約】【課題】圧雪された雪であっても、一度に大量の雪をすくいあげて除去することができるスコップを提供すること。【解決手段】本発明によるスコップ１０は、スコップ本体1と、スコップ本体1に連結された連結棒２と、連結棒２に取り付けられた取手部３とを備えている。スコップ本体1は、基端縁１１、先端縁１２及び一対の側縁１３からなる矩形状を有している。先端縁１２には、一対の辺２１，２１を有する山形部２０が複数、一列に並んで配置されている。【選択図】図１
0003122514.tif 000002
【実用新案登録請求の範囲】
【請求項１】
スコップ本体と、
スコップ本体に連結された連結棒と、
連結棒に取り付けられた取手部とを備え、
スコップ本体は、基端縁、先端縁及び一対の側縁からなる矩形状を有し、
先端縁に、一対の辺を有する山形部が複数、一列に並んで配置されたことを特徴とするスコップ。
【請求項２】
各山形部の先端に、平坦面が形成されていることを特徴とする請求項１記載のスコップ。
【請求項３】
各山形部の先端の平坦面は、５ｍｍの長さをもつことを特徴とする請求項２記載のスコップ。
【請求項４】
各山形部の一対の辺がなす角度は、６０°となっていることを特徴とする請求項１記載のスコップ。
【請求項５】
各山形部の一対の辺は、互いに同一長さを有することを特徴とする請求項１記載のスコップ。
【請求項６】
各山形部は、隙間なく互いに隣接して配置されていることを特徴とする請求項１記載のスコップ。
【請求項７】
複数の山形部は、連結棒の中心線に対して対称に配置されていることを特徴とする請求項１記載のスコップ。
【請求項８】
山形部の一つは、連結棒の中心線上にその先端が配置されていることを特徴とする請求項１記載のスコップ。
【請求項９】
山形部は、７個配置されていることを特徴とする請求項１記載のスコップ。
【考案の詳細な説明】
【技術分野】
【０００１】
本発明は、一度に大量の圧雪された雪をすくいあげて除去することができるスコップに関する。
【背景技術】
【０００２】
図６（ａ）、（ｂ）に示すように、スコップ１０は、スコップ本体1と、スコップ本体1に連結された連結棒２と、連結棒２に取り付けられた取手部３とを備えている。従来のスコップ１０としては、図６（ａ）に示すように、スコップ本体1の先端縁１２が尖った先端１２ａを有するものや、図６（ｂ）に示すように、スコップ本体１が基端縁１１、先端縁１２及び一対の側縁１３からなる矩形状を有するものが知られている。
【考案の開示】
【考案が解決しようとする課題】
【０００３】
しかしながら、連続的な降雪がある多雪地域においては、積もった雪が圧雪され、雪が硬く締まった氷のような硬さになってしまうことがある。このように氷のような硬さになった雪に対しては、図６（ｂ）に示すような矩形状のスコップ本体1を有するスコップ１０は突き刺さらない。また、図６（ａ）に示すような先端縁１２の尖ったスコップ本体1を有するスコップ１０を用いても、スコップ本体1の先端縁１２の先端１２ａが突き刺さるだけで、圧雪された雪の奥深くまでスコップ本体1を突き刺すことができない。このため、作業者が、スコップ１０を一度突き刺すだけでは、少量の雪しかすくいあげて除去することができない。
【０００４】
本発明は、このような点を考慮してなされたものであり、圧雪された雪であっても、一度突き刺すだけで、大量の雪をすくいあげて除去することができるスコップを提供することを目的とする。
【課題を解決するための手段】
【０００５】
本発明は、スコップ本体と、スコップ本体に連結された連結棒と、スコップ本体が、基端縁、先端縁及び一対の側縁からなる矩形状を有し、先端縁に、一対の辺を有する山形部が複数、一列に並んで配置されたことを特徴とするスコップである。
【０００６】
本発明は、各山形部の先端に、平坦面が形成されていることを特徴とするスコップである。
【０００７】
本発明は、各山形部の先端の平坦面が、５ｍｍの長さをもつことを特徴とするスコップである。
【０００８】
本発明は、各山形部の一対の辺がなす角度が、６０°となっていることを特徴とするスコップである。
【０００９】
本発明は、各山形部の一対の辺が、互いに同一長さを有することを特徴とするスコップである。
【００１０】
本発明は、各山形部が、隙間なく互いに隣接して配置されていることを特徴とするスコップである。
【００１１】
本発明は、複数の山形部が、連結棒の中心線に対して対称に配置されていることを特徴とするスコップである。
【００１２】
本発明は、山形部の一つが、連結棒の中心線上にその先端が配置されていることを特徴とするスコップである。
【００１３】
本発明は、山形部が、７個配置されていることを特徴とするスコップである。
【考案の効果】
【００１４】
本発明のスコップによれば、スコップ本体の先端縁に、山形部が複数、一列に並んで配置されているため、圧雪された雪であっても、一度突き刺すだけで大量の雪をすくいあげて除去することができる。
【考案を実施するための最良の形態】
【００１５】
実施の形態
以下、本発明に係るスコップ１０の実施の形態について、図１乃至図５を参照にして説明する。本発明に係るスコップ１０は、圧雪され硬く締まった雪をすくいあげて除去することを、主な目的とするスコップ１０である。
【００１６】
図１に示すように、スコップ１０は、スコップ本体1と、スコップ本体1に連結された連結棒２と、連結棒２に取り付けられた取手部３とを備えている。
【００１７】
図１乃至図４に示すように、スコップ本体1は、基端縁１１、先端縁１２及び一対の側縁１３からなる矩形状を有している。このスコップ本体1の先端縁１２には、一対の辺２１，２１を有する山形部２０が複数（本実施の形態においては７個）、一列に並んで配置されている。なお各山形部２０は、隙間なく互いに隣接している。
【００１８】
また図１乃至図４に示すように、各山形部２０の先端には、平坦面２２が形成されている。なお本実施の形態においては、この各山形部２０の先端の平坦面２２は５ｍｍの長さをもっている。
【００１９】
また図１乃至図４に示すように、各山形部２０の一対の辺２１，２１は、互いに同一長さを有している。なお、この一対の辺２１，２１がなす角度αは、６０°となっている。
【００２０】
また図３及び図４に示すように、複数の山形部２０は、連結棒の中心線Ｃに対して対称に配置されている。そして、この複数の山形部２０のうち、中央に位置する山形部２０ａは、連結棒の中心線Ｃ上にその平坦面２２の中心部が位置している。
【００２１】
次に、このような構成からなる本実施の形態の作用について述べる。
【００２２】
図１乃至図４に示すように、スコップ本体1の先端縁１２には、複数の山形部２０が一列に並んで配置されているので、スコップ本体１を圧雪された雪に突き刺した場合、各山形部２０を雪に対して一度で深く突き刺すことができる。また、各山形部２０を圧雪された雪に深く突き刺す際、図５に示すように、山形部２０の列に沿って、圧雪された雪３５に亀裂３０を発生させることができる。これらのことより、スコップ１０を一度突き刺すだけで、雪が圧雪されている場合でも、大量の雪をすくいあげて除去することができる
【００２３】
また図１乃至図４に示すように、各山形部２０の先端には平坦面２２が形成されているため、圧雪された雪に突き刺しても、山形部２０の先端部が欠けてしまうことがない。このためスコップ本体1の各山形部２０は、高い耐久性を有している。
【００２４】
また図３及び図４に示すように、複数の山形部２０の中央に位置する山形部２０ａは、連結棒の中心線Ｃ上に平坦面２２の中心部が位置している。このため、連結棒２に加わる力を当該山形部２０ａに直線状に直接伝えることができ、この山形部２０ａを圧雪された雪により深く突き刺すことができる。
【００２５】
また図３及び図４に示すように、複数の山形部２０は連結棒の中心線Ｃに対して対称に配置されている。このため、連結棒２に加わる力を、バランス良くスコップ本体1の各山形部２０に伝えることができ、圧雪された雪３５に、より大きな亀裂３０を発生させることができる（図５参照）。
【００２６】
また、各山形部２０の一対の辺２１，２１は互いに同一長さを有しているので、圧雪された雪にスコップ１０を突き刺す際に、スコップ本体1の各山形部２０に加わる力を、各山形部２０において均等に分散させることができる。このため、各山形部２０の耐久性を向上させることができる。
【００２７】
また、各山形部２０は隙間なく互いに隣接しているため、スコップ本体１の先端縁１２に可能な範囲で最も多くの山形部２０を形成することができる。このため、圧雪された雪の多くの箇所で山形部２０を突き刺すことができるため、より容易に、圧雪され締まった雪３５に亀裂３０を発生させることができる（図５参照）。
【００２８】
なお、平坦面２２の長さが５ｍｍより短くなりすぎると、山形部２０の先端が尖りすぎるため、山形部２０は十分な耐久性を得ることができない。他方、平坦面２２の長さが５ｍｍより長くなりすぎると、山形部２０の平坦面２２を圧雪された雪に突き刺す際に雪に加わる圧力が弱くなる。このため、山形部２０が浅くしか雪に突き刺さらないため、すくいあげて除去できる雪の量が少量になってしまう。これらのことより、平坦面２２の長さは５ｍｍ程度であることが最も好ましい。
【００２９】
また、各山形部２０の一対の辺２１，２１がなす角度αが６０°より大きくなると、圧雪された雪へ突き刺さる山形部２０の深さが浅くなってしまう。他方、各山形部２０の一対の辺２１，２１がなす角度αが６０°より小さくなると、各山形部２０の耐久性が下がってしまう。このため、各山形部２０の一対の辺２１，２１がなす角度αは、６０°になっていることが最も好ましい。なお、上述のように、各山形部２０の一対の辺２１，２１は互いに同一長さを有し、かつ各山形部２０の一対の辺２１，２１がなす角度αが６０°となっているため、各山形部２０は正三角形を形成している。
【００３０】
また十分な量の雪をすくいあげて除去できるよう、図４に示すように山形部２０の高さは、３５ｍｍ程度になっている。ここで、上述のように、各山形部２０は正三角形になっているため、各山形部２０の一対の辺２１，２１の長さは各々、４０ｍｍ程度になっている。
【００３１】
なお、本実施の形態によるスコップ１０は、既存の矩形状のスコップ１０（図６（ｂ）参照）の先端縁１２を山形状に割断することによって製造することができる。一般的に流通している既存の矩形状のスコップ１０から本実施の形態のスコップ１０を製造する際に、上述した各山形部２０の一対の辺２１，２１がなす角度αを６０°とし、一対の辺２１，２１の長さを４０ｍｍ程度とする等の条件を満たすようにすることによって、スコップ本体1の先端縁１２には７個の山形部２０が形成される。
【図面の簡単な説明】
【００３２】
【図１】本発明の実施の形態によるスコップの裏面側全体を示す構成図。
【図２】本発明の実施の形態によるスコップの裏面側の拡大図。
【図３】本発明の実施の形態によるスコップの表面側の拡大図。
【図４】本発明の実施の形態によるスコップのスコップ本体の表面側の拡大図。
【図５】本発明の実施の形態によるスコップを突き刺すことによって、圧雪された雪に亀裂が発生する様子を示す概略図。
【図６】従来のスコップを示す概略図。
【符号の説明】
【００３３】
１    スコップ本体
２    連結棒
３    取手部
１０  スコップ
１１  基端縁
１２  先端縁
１３  側縁
２０  山形部
２０ａ  中央に位置する山形部
２１  辺
２２  平坦面
３０  亀裂
α  角度
Ｃ  連結棒の中心線
【図１】
0003122514.tif 000003
【図２】
0003122514.tif 000004
【図３】
0003122514.tif 000005
【図４】
0003122514.tif 000006
【図５】
0003122514.tif 000007
【図６】
0003122514.tif 000008